(57)【要約】【課題】ユーザが検索する情報に関連した広告を提供することができる、通信網を用いた広告提供システムおよび広告提供方法の提供。【解決手段】本発明の通信網を用いた広告提供システムは、ユーザ端末機で駆動されるブラウザのアドレスバーおよび検索バーのいずれか一方に入力された入力語を受信するように通信網に連結されたインタフェース部と、それぞれの入力語に関連した複数の広告が格納される広告格納部と、前記インタフェース部を介して受信した入力語に基づいて、前記広告格納部に格納された広告を検索し、該当する広告を選択した後、複数の広告を前記インタフェース部を介して前記ユーザ端末機へ伝送する制御部とを含む広告サーバを含んでなる。【選択図】図１
2010129073.tif 000002
【特許請求の範囲】
【請求項１】
ユーザ端末機で駆動されるブラウザのアドレスバーおよび検索バーのいずれか一方に入力された入力語を受信するように通信網に連結されたインタフェース部と、
それぞれの入力語に連関した複数の広告が格納される広告格納部と、
前記インタフェース部を介して受信した入力語に基づいて、前記広告格納部に格納された広告を検索し、該当する広告を選択した後、複数の広告を前記インタフェース部を介して前記ユーザ端末機へ伝送する制御部とを含む広告サーバを含んでなる、通信網を用いた広告提供システム。
【請求項２】
前記ブラウザに統合されるように設置され、前記インタフェース部へ入力語を伝送し、前記広告サーバから伝送された広告を前記ブラウザに表示するプログラムが設置されたユーザ端末機をさらに含んでなることを特徴とする、請求項１に記載の通信網を用いた広告提供システム。
【請求項３】
前記広告サーバから伝送された広告は、前記ブラウザ内に１行のラインの形で表示され、
前記広告は、前記ブラウザのアドレスバーの下方または前記ブラウザの下端に位置することを特徴とする、請求項２に記載の通信網を用いた広告提供システム。
【請求項４】
前記入力語は、検索語キーワードおよび特定のドメインアドレスのいずれか一方を含むことを特徴とする、 請求項１に記載の通信網を用いた広告提供システム。
【請求項５】
前記広告格納部は、入力語に連関した複数の広告が格納されるメイン格納部、および前記メイン格納部に格納された広告の一部を入力語に基づいてランダムに抽出して格納するサブ格納部を含み、
前記制御部は、前記サブ格納部に格納された広告を前記インタフェースへ伝送することを特徴とする、請求項１に記載の広告提供システム。
【請求項６】
ユーザ端末機で駆動されるブラウザの検索バーおよびアドレスバーのいずれか一方に入力される入力語を広告サーバへ伝送することができ、前記ブラウザに統合されて表示されるプログラムが設置される第１段階と、
前記検索バーおよび前記アドレスバーのいずれか一方に入力された入力語がユーザ端末機からインタフェース部へ伝送される第２段階と、
前記入力語に基づいて、広告格納部に格納された広告を検索し、該当する広告を選択した後、前記広告を前記インタフェース部を介して前記ユーザ端末機へ伝送する第３段階と、
前記広告が前記ブラウザに表示される第４段階とを含んでなる、通信網を用いた広告提供方法。
【請求項７】
前記第４段階で前記広告サーバから伝送された広告は、前記ブラウザ内に１行のラインの形で表示され、前記広告は、前記ブラウザのアドレスバーの下方または前記ブラウザの下端に位置することを特徴とする、請求項６に記載の通信網を用いた広告提供方法。
【請求項８】
前記第３段階では、メイン格納部に格納された複数の広告の一部がランダムに抽出されてサブ格納部に格納され、前記サブ格納部に格納された広告が前記ユーザ端末機へ伝送されることを特徴とする、請求項６に記載の通信網を用いた広告提供方法。
【請求項９】
前記入力語は、検索語キーワードおよび特定のドメインアドレスのいずれか一方を含むことを特徴とする、請求項６に記載の通信網を用いた広告提供方法。
【発明の詳細な説明】
【技術分野】
【０００１】
本発明は、通信網を用いた広告提供システムおよび広告提供方法に係り、より詳しくは、ユーザの入力語に応じてユーザ端末機に多様な広告を提供することができる、通信網を用いた広告提供システムおよび広告提供方法に関する。
【背景技術】
【０００２】
ユーザは、ユーザ端末機をインターネットにおける所望のサーバと連結させてＷｅｂブラウザを介して多様なデータを受信または送信することができる。勿論、このような機能を実現するためにはユーザ端末機に別途のプログラムを設置しなければならない。
【０００３】
このようなプログラムの例としてツールバープログラムがある。ツールバープログラムは、現在多くのソフトウェアアプリケーションで使用する標準ＧＵＩ(Graphic User Interface)である。ツールバーにはいろいろの要素をロードして使用することができ、クライアントに親しい形態のＵＩ(User Interface)を提供する。
【０００４】
一方、従来では、Ｗｅｂページにバナーを用いた広告があった。バナー広告は、人気のあるホームページの一方に特定のＷｅｂサイトの名前または内容を付着させて広報するグラフィックイメージを意味する。まるで懸垂膜のような模様を持つから、バナー(banner)という名称で呼ばれる。これは、予め定められた規格に動画像ファイルなどを用いて広告を出し、所定の広告料を支払う形態である。広告効果を分析するために、バナーがユーザに見せられた回数、または一定の期間バナーグラフィックがダウンロードされた回数を数えて、広告主に知らせたりする。
【０００５】
ところが、このようなバナー広告は、個人の所望する広告が何であろうかを把握せず、不特定多数に一方向的に広告を伝送することができるだけである。言い換えれば、ユーザが現在必要とする広告については把握することができない。
【０００６】
この場合、ユーザは、自分の所望しない広告に対しては興味が発生せず、このような広告によって検索速度が遅くなり或いはユーザの注意を分散させるので、当該広告に対してむしろ反感を呼び起こすおそれがあるという問題点がある。
【発明の開示】
【発明が解決しようとする課題】
【０００７】
そこで、本発明は、上述した問題点を解決するためのもので、その目的とするところは、ユーザが検索する情報に関連した広告を提供することができる、通信網を用いた広告提供システムおよび広告提供方法を提供することにある。
【課題を解決するための手段】
【０００８】
上記目的を達成するために、本発明のある観点によれば、ユーザ端末機で駆動されるブラウザのアドレスバーおよび検索バーのいずれか一方に入力された入力語を受信するように通信網に連結されたインタフェース部と、それぞれの入力語に関連した複数の広告が格納される広告格納部と、前記インタフェース部を介して受信した入力語に基づいて、前記広告格納部に格納された広告を検索し、該当する広告を選択した後、複数の広告を前記インタフェース部を介して前記ユーザ端末機へ伝送する制御部とを含む広告サーバを含んでなる、通信網を用いた広告提供システムを提供する。
【０００９】
前記ブラウザに統合されるように設置され、前記インタフェース部に入力語を伝送し、前記広告サーバから伝送された広告を前記ブラウザに表示するプログラムが設置されたユーザ端末機をさらに含んでなってもよい。
【００１０】
前記広告サーバから伝送された広告は、１行からなるラインの形で前記ブラウザ内に表示され、前記広告は、前記ブラウザのアドレスバーの下方または前記ブラウザの下端に位置してもよい。
【００１１】
特に、前記入力語は、検索語キーワードおよび特定のドメインアドレスのいずれか一方を含むことが好ましい。
【００１２】
前記広告格納部は、入力語に関連した複数の広告が格納されるメイン格納部、および前記メイン格納部に格納された広告の一部を入力語に基づいてランダムに抽出して格納するサブ格納部を含み、前記制御部は、前記サブ格納部に格納された広告を前記インタフェースへ伝送してもよい。
【００１３】
また、本発明は、ユーザ端末機で駆動されるブラウザの検索バーおよびアドレスバーのいずれか一方に入力される入力語を広告サーバに伝送することができ、前記ブラウザに統合されて表示されるプログラムが設置される第１段階と、前記検索バーおよび前記アドレスバーのいずれか一方に入力された入力語がユーザ端末機からインタフェース部へ伝送される第２段階と、前記入力語に基づいて、広告格納部に格納された広告を検索し、該当する広告を選択した後、前記広告を前記インタフェース部を介して前記ユーザ端末機に伝送する第３段階と、前記広告が前記ブラウザに表示される第４段階とを含んでなる、通信網を用いた広告提供方法を提供する。
【００１４】
前記第４段階で前記広告サーバから伝送された広告は、１行からなるラインの形で前記ブラウザ内に表示され、前記広告は、前記ブラウザのアドレスバーの下方または前記ブラウザの下端に位置してもよい。
【００１５】
前記第３段階では、メイン格納部に格納された複数の広告の一部がランダムに抽出されてサブ格納部に格納され、前記サブ格納部に格納された広告が前記ユーザ端末機に伝送されてもよい。
【００１６】
特に、前記入力語は、検索語キーワードおよび特定のドメインアドレスのいずれか一方を含むことが好ましい。
【発明の効果】
【００１７】
本発明によれば、ユーザが検索しようとする情報に関連した広告のみを伝達することができる。ユーザの一般な検索行為によって、関連された広告を提供することができるため、ユーザが追加的な行為を行う必要がない。
【００１８】
本発明によれば、広告を１行のラインの形で提供することができるため、ユーザが広告に対して感ずることが可能な拒否感を減らすことができ、ブラウザ内で広告が占める空間を減らすことができる。
【発明を実施するための最良の形態】
【００１９】
以下、上記目的を具体的に実現することが可能な本発明の好適な実施例について添付図面を参照して詳細に説明する。
【００２０】
図１は本発明に係る広告提供システムを示す図である。次に、図１を参照して説明する。
【００２１】
本発明の通信網にはユーザ端末機１０および広告サーバ２０が連結されており、ユーザ端末機と広告サーバとは互いにデータおよび情報を交換することができる。
【００２２】
ここで、通信網は、インターネット(Internet)およびイントラネット(Intranet)などを含む。インターネットは誰でも接続可能な共用網であり、イントラネットは印加されるか、或いは特定の通信網内に連結されている端末機を介してのみ接続可能な網のことを意味する。
【００２３】
ユーザ端末機１０は、事務室または家庭で一般人が使用する端末機のことを意味する。本発明において、端末機は前記通信網に接続され、多様な情報を交換することができる。前記端末機は、ＰＤＡ(Personal Digital Assistant)、ハンドヘルドＰＣ(Handheld Personnel Computer)およびデスクトップＰＣ(Desktop Personnel Computer)などのいずれか一つを含むことができる。
【００２４】
前記ユーザ端末機１０は、有無線ＬＡＮカードやＷｉＢｒｏ(Wireless Broadband)モジュールなどの所定の通信モジュールを備えて通信網で他の機器と通信することができる。前記ユーザ端末機１０は、ユーザが入力することが可能なキーボード、マウスなどの入力装置と、ユーザがデータなどを確認することが可能なモニター、スピーカなどの出力装置とを備える。
【００２５】
前記ユーザ端末機１０は、マイクロプロセッサを搭載し、モニターにブラウザを表示してユーザに情報を提供することができる。この際、ブラウザはグーグルクロム、ファイアフォックス、マイクロソフト社のエクスプロアなどを含むことが可能である。
【００２６】
前記広告サーバ２０は、前記通信網に接続されて多様な情報を送受信することが可能なインタフェース部２２、複数の多様な広告が格納される広告格納部２６、および前記広告格納部２６に格納された広告の一部をユーザ端末機１０に伝送するように広告を抽出する制御部２４を含む。
【００２７】
前記広告格納部２６は、前記広告サーバ２０ではなく、別途の外部サーバに備えられることも可能である。この場合、前記制御部２４は、外部サーバに設置されている広告格納部の広告情報を受信してデータを処理するであろう。
【００２８】
特に、前記広告格納部２６は、複数の広告が格納されるメイン格納部２８、および前記メイン格納部２８から一部の広告が選択されて格納されるサブ格納部３０を含む。前記制御部２４は、前記メイン格納部２８に格納された広告の一部をランダムに選択し、前記サブ格納部３０に格納することができる。
【００２９】
前記制御部２４は、前記広告格納部２６に格納された広告を検索し、該当する広告を選定した後、複数の広告を前記インタフェース部２２を介して前記ユーザ端末機１０に伝送することができる。
【００３０】
これに対し、前記広告格納部２６が外部サーバに備えられた場合には、前記制御部２４が外部サーバから受信した広告に対する情報を前記インタフェース部２２を介して前記ユーザ端末機１０へ伝送することができる。
【００３１】
一方、ユーザ端末機１０には、ブラウザに統合されるように設置されるプログラムが設置される。前記プログラムは、前記インタフェース部２２へ一定の情報を伝送することができ、前記広告サーバ２０から伝送された広告を、ユーザ端末機１０に設置された前記ブラウザに表示することができる。特に、前記プログラムは、ブラウザと別個のＷｉｎｄｏｗフレームで実行されるのではなく、ブラウザの一部領域を占める状態で実行されて表示されることが好ましい。別個のＷｉｎｄｏｗフレームを実行させないので、ユーザ端末機１０の資源を不当に多く占有することを防止することができる。
【００３２】
この際、前記プログラムは、ツールバープログラム、アドライン、ショッピングエージェント、サイドバーなどの多様なプログラムの形で実現できる。この場合、ユーザがユーザ端末機１０に前記プログラムを別途に設置しなくても、ツールバープログラム、アドライン、ショッピングエージェント、サイドバーなどを設置することにより、前記プログラムで行われる機能を実現することができる。
【００３３】
特に、前記広告サーバ２０から伝送された広告は、前記ブラウザ内に１行のラインの形（図８および図１０に示した図面符号‘５０’を参照）で表示されることが好ましい。１行のラインには複数の広告が並べられることが可能である。ひいては、１行のラインのうち特定の単語である「さらに表示」などをクリックすると、さらに多くの広告をユーザが見られるように該当窓が大きくなることが好ましい。広告が長い１行からなるため、ブラウザを一杯満たす全面広告などに比べてブラウザ内の空間を少なく占める。したがって、全面広告に対して反感または否定的なユーザに対する拒否感を減らすことができ、「さらに表示」などのメニューを設けて、当該広告に対して好奇心または必要性を感じるユーザにはさらに多くの情報を提供することができるため、ユーザに応じて広告の提供量が異なる。
【００３４】
ひいては、前記広告は、前記ブラウザのアドレスバーの下方または前記ブラウザの下端（図１１に示される）に位置することが好ましい。前記広告が前記ブラウザのアドレスバーの下方に表示されると、ユーザに目立ち易くなって広告効果を向上させることができる。
【００３５】
前記ブラウザのアドレスバーは、ユーザ所望のインターネットサイトへ移動するときに文字を入力する窓である。一方、前記広告は、前記ブラウザのアドレスバーと隣接して位置し、或いは所定の距離の間隔を置いて離隔するように位置することが可能である。
【００３６】
ユーザの便宜に応じてその位置を変化させることを可能にする。特に、ユーザに応じて自分の所望する位置に広告が開示されるように設定を変更することも可能である。
【００３７】
前記広告の横の長さは、前記ブラウザのアドレスバーの大きさと同じまたはより小さいことが可能である。勿論、前記ブラウザのアドレスバーの大きさより大きいため、前記ブラウザの横の長さと同一であり得る。
【００３８】
特に、前記広告の横の長さは、ユーザがブラウザの大きさを変更させると、ブラウザの変形された横の長さと同一に変形されることが可能である。
【００３９】
前記広告の縦の長さは、１行の文字が挿入できる長さであることが可能であるが、ユーザの便宜に応じて多数の行の文字が挿入できる程度の長さに変更することも可能であろう。
【００４０】
一方、前記広告の背景色と背景の上に表示される字体などは、初期には基本的な字体として提供できるが、追ってユーザの便宜に応じて大きさ、色などを変更することも可能である。ひいては、このように変更された背景色、字体の大きさなどは、ユーザごとにユーザの環境に格納され、追って使用の際に当該ユーザに応じて異なるように実行されることが可能である。
【００４１】
ひいては、前記広告は略長方形をなすことが可能である。但し、前記広告は、前記ブラウザのアドレスバーの下端に位置することが可能であれば、長方形ではなく、これと類似の他の形態に変形されることも可能である。
【００４２】
前記広告は、前記ブラウザの下地色とは異なり得る。これは、ユーザに前記広告が前記ブラウザから目立つことを可能にするためである。互いに色相が異なる場合、前記広告はユーザの注意を引くことができるため、広告効果が向上できる。
【００４３】
ユーザは、他のインターネットサイトへ移動するときに必ずブラウザのアドレスバーに新規のドメインアドレスを入力しなければならない。よって、ユーザは、少なくとも１回はブラウザのアドレスバーを注視しなければならないので、ブラウザのアドレスバーの周辺は常にユーザの注意を引くことができる。
【００４４】
これに対し、前記広告が前記ブラウザの下端に位置する場合にも、ユーザの注意を引くことができる。ブラウザの下端は、一般に広告に多く使用されない領域なので、広告が多く介在されるブラウザの特定の領域を意図的に回避しながら無視するユーザに広告をより容易に露出させることができる。
【００４５】
図２は本発明に係る広告提供方法の概略流れ図である。次に、図２を参照して説明する。
【００４６】
まず、プログラムがユーザ端末機１０に設置される（Ｓ１００）。この際、前記プログラムは通信網を介して、またはディスクなどの格納装置によって前記ユーザ端末機１０へ伝達できる。
【００４７】
ユーザがユーザ端末機１０にブラウザのアドレスバーおよび検索バーのいずれか一方に入力された入力語に対する広告を抽出する（Ｓ２００）。入力語は、ユーザの性向に応じて例えば韓国語、英語、日本語などの多様な言語で入力できる。この際、入力語は、ユーザが通信網を介して検索しようとするキーワード、またはユーザが接続しようとするインターネットサイトのドメインアドレスを含むことができる。
【００４８】
入力語に関連した複数の広告がユーザ端末機１０へ伝送される（Ｓ３００）。この際、広告は、特定のＷｅｂサイトアドレス、または特定のＷｅｂサイトを運営する会社名などであってもよい。
【００４９】
図３は図２のＳ１００であるプログラムがユーザ端末機に設置される過程を詳細に示した流れ図である。次に、図３を参照して説明する。
【００５０】
ユーザ端末機１０が前記通信網に接続される（Ｓ１１０）。勿論、ユーザ端末機１０が通信網に連結された状態で前記ユーザ端末機１０の電源がオンにされることが可能である。
【００５１】
ユーザが前記プログラムを配布するＷｅｂサイトに接続する場合には、前記プログラムの設置有無確認を尋ねるウィンドウが表示される。この際、プログラムの設置はＰＯＰ−ＵＰ、ＡｃｔｉｖｅＸなどの方式を用いることが可能である。ユーザが前記プログラムの設置を承認することができる（Ｓ１２０）。プログラムを設置する前に、ユーザの約款に対するユーザの同意を問う窓が露出され、ユーザがユーザ約款を認知するようにすることが可能である。
【００５２】
前記プログラムの設置が承認されると、前記プログラムは、前記ユーザ端末機１０にダウンロードして格納する（Ｓ１３０）。勿論、ダウンロードの後、プログラムを設置する途中でユーザの約款に対する同意を問うことも可能である。
【００５３】
そして、自動設置またはユーザの設置命令によって前記プログラムに対する設置プログラムがユーザ端末機１０で実行されることにより、前記プログラムが設置される（Ｓ１４０）。
【００５４】
勿論、図面には示していないが、前記プログラムを削除する過程について説明する。前記プログラムの削除は２つの方式によって可能である。
【００５５】
第一に、Ｗｉｎｄｏｗｓ（登録商標）の開始ボタンをクリックし、全てのプログラムを選択した後、前記プログラムを選択し、メニューから「ｕｎｉｎｓｔａｌｌ」を選択して前記プログラムを削除することができる。
【００５６】
第二に、Ｗｉｎｄｏｗｓ（登録商標）のコントロールパネルを選択し、プログラム追加／除去を選択した後、前記プログラムを選択して前記プログラムを削除することができる。
【００５７】
ユーザは、上述したようにプログラムを削除することにより、プログラムが設置される前の状態にユーザ端末機１０の環境を復旧することができる。
【００５８】
図４は図２のＳ２００である入力語に対する広告を抽出する過程を詳細に示す流れ図である。次に、図４を参照して説明する。
【００５９】
多様な広告が前記メイン格納部２８に格納される（Ｓ２１０）。この際、広告は所定の広告費用を支払った広告主が自分の会社、業務または個人的な仕事と関連して他の人々に知らせようとする内容などを意味することができる。すなわち、広告は、多様な主題による多様な会社または人々に対する広告内容を含む。
【００６０】
例えば、「自動車」に対しては日産自動車ホームページ、インフィニティ自動車公式サイト、大宇自動車ホームページ、雙龍自動車ホームページ、現代自動車オートプラン、自動車情報現代オートインサイド、アウディコリア公式サイト、自動車特性化亜州自動車大学、中古車関連会社、廃車場に関連した会社などの広告が前記メイン格納部２８に格納できる。
【００６１】
前記ユーザ端末機１０のブラウザの検索バーまたはアドレスバーを介して入力語が入力され、前記入力語が前記通信網を介して前記インタフェース部２２へ伝送される（Ｓ２２０）。
【００６２】
前記制御部２４は、入力語に関連した広告が前記広告格納部２６に格納されているかを確認する（Ｓ２３０）。特に、広告が前記広告格納部２６の前記メイン格納部２８に格納されているかを確認する。
【００６３】
もし、入力語に連関した広告が前記メイン格納部２８に格納されているならば、前記メイン格納部２８に格納された広告の一部を抽出する（Ｓ２４０）。この際、抽出された広告は特定の広告に優先権を与える形態であり、特定の広告は他の広告に比べてさらに多くの回数だけ選択できる。勿論、個別的な広告に優先権を与えず、ランダムに抽出する方式を従うことができる。統計学上、ランダムに抽出する場合には、それぞれの広告が選択される確率は同一なので、全ての広告が優先順位なく均一にユーザ端末機に伝達できる。
【００６４】
例えば、自動車に関連した１００個の広告が前記メイン格納部２８に格納されているならば、それらの一部である約５〜１０個を抽出する。
【００６５】
抽出された広告を前記サブ格納部３０に格納する（Ｓ２５０）。上述した例によれば、約５〜１０個の広告をサブ格納部３０に格納することが可能である。すなわち、前記サブ格納部３０は前記メイン格納部２８の部分集合といえる。
【００６６】
同一のユーザが同一の入力語を数回繰り返し入力し、或いは他のユーザが同一の入力語を入力することも可能なので、前記サブ格納部３０を複数個格納することも可能である。この際、前記サブ格納部３０を前記メイン格納部２８からランダムに抽出して格納する方式によれば、それぞれのサブ格納部３０に格納された広告はそれぞれ異なるであろう。
【００６７】
図５は図２のＳ３００である複数の広告がユーザ端末機に伝送される過程を詳細に示す流れ図である。次に、図５を参照して説明する。
【００６８】
まず、前記サブ格納部３０に格納された広告が前記ユーザ端末機１０へ伝送される（Ｓ３１０）。
【００６９】
前記ユーザ端末機１０のブラウザに広告が表示される（Ｓ３２０）。この際、ブラウザにはプログラムが統合されて設置されるので、広告がプログラムによってブラウザの一部の領域に表示される。
【００７０】
その後、ユーザが当該広告をクリックしたか否かを判断する（Ｓ３３０）。この際、クリックしたか否かはユーザ端末機で判断することが好ましい。
【００７１】
表示された広告にはそれぞれのインターネットサイトがリンクされていることが好ましい。すなわち、ユーザが当該広告をクリックする場合には、それぞれのインターネットサイトに接続され、ブラウザに該当するインターネットサイトが表示できる。例えば、広告が図８のブラウザのアドレスバーの真下に示された「現代自動車オートプラン」をクリックすると、現代自動車オートプランのＷｅｂサイトを示すことができる。
【００７２】
もしユーザがクリックしたならば、クリックされた広告に関連したＷｅｂページがユーザ端末機のブラウザに表示される（Ｓ３４０）。
【００７３】
図６〜図８は検索語キーワードに基づいてブラウザに広告が提供される過程を示す図である。
【００７４】
図６にはブラウザのアドレスバーに「自動車」という検索語キーワードが入力された状態で示し、図７にはブラウザの検索バーに「自動車」という検索語キーワードが入力された状態を示す。
【００７５】
ユーザがブラウザのアドレスバーまたは検索バーに検索語キーワードを入力した後、Ｅｎｔｅｒを押すか或いは検索ボタンをクリックすると、検索語キーワードが前記広告サーバ２０に伝送される。勿論、ユーザ端末機１０には前記プログラムが既に設置されている。
【００７６】
前記検索語キーワードに関連した広告が前記メイン格納部２８に格納されているかを判断する。この際、該当する広告は、前記メイン格納部２８に格納された広告ではなく、前記サブ格納部３０に格納された広告が示されるので、個別ユーザに応じて、または同一のユーザであっても、検索した時間によって異なる種類の広告がブラウザに示される。これは、メイン格納部２８から前記サブ格納部３０に広告を抽出して格納するとき、ランダムに広告を選択する方式を従うためである。
【００７７】
すると、図８に示すように、検索語キーワードに関連した広告がブラウザに表示される。図面符号「５０」を参照すると、「インフィニト自動車公式サト」、「現代自動車オートプラン」などに複数の広告が表示されている。一方、図面符号「５０」には、「このサイトには自動車に対するサイト・・・・・・ここをクリックしてください。」と記載されているが、このような記載は例示に過ぎないもので、多様な形態に変形されて述べられることが可能である。
【００７８】
広告は、図８の図面符号「５０」に示されているように、アドレスバーの真下に一行のラインの形で表示できる。前記広告は、アドレスバーの真下に位置するため、ユーザが容易にアクセスすることができ、ユーザの注意を容易に引くことができる。
【００７９】
また、１行からなるため、文章の形態を成すことができ、ユーザに単純な絵またはアイコンを表示する広告とは異なり、説明を提供することができるため、広告に対する親近感を提供することができる。特に、図面符号「５０」に示されているように、ブラウザの横方向の空間を一杯満たす形で表示されるので、一行でも、複数の広告を提供することが可能な空間が形成される。
【００８０】
勿論、広告は、図８に示されているように、「ブラウザの左側の内部空間」に表示され、複数の広告が並べられる。
【００８１】
これに対し、広告は、図８には示されていないが、図面符号「５０」と同一の形状としてブラウザの下端に位置することも可能である。
【００８２】
１行のライン形態は、横方向にブラウザを一杯満たすので、ブラウザ内の中間に位置するよりは、ブラウザ内の最も上側であるアドレスバーの下またはブラウザ内の最も下側に位置することが好ましい。これによれば、ユーザがブラウザを介して検索しようとするＷｅｂサイトに与える影響を最小限に減らすことができるため、ユーザが広告に対して感じることが可能な拒否感を減らすことができる。
【００８３】
特に、図面符号「５０」の右側には「さらに表示」という文句を設け、さらに多くの広告情報を得ようとするユーザにはさらに多くの広告を提供することができる。すなわち、「さらに表示」という文句をクリックすると、「自動車」に関連した広告が約５個以上表示できるため、ユーザは「さらに表示」をクリックする前よりさらに多くの広告に露出できる。これは、ユーザが所望する場合にだけ機能するので、ユーザに無駄に多くの広告を提供して拒否感が発生することを防止することができる。
【００８４】
図９および図１０はドメインアドレスに応じてブラウザに広告が提供される過程を示す図である。図９および図１０に示された例は、図６〜図８とは異なりドメインアドレスを用いて広告を提供するという差異点をもって、その差異を中心に説明する。
【００８５】
図９はユーザがブラウザのアドレスバーに、当該ブラウザに表示されることを所望するＷｅｂサイトのドメインアドレスを入力した状態を示す。すなわち、ユーザは「アウディコリア」のＷｅｂサイトをブラウザで見ることを願うので、アドレスバーに「www.audikorea.com」という正確なアドレスを入力する。
【００８６】
すると、このようなドメインアドレスが広告サーバに伝送され、該当広告が前記メイン格納部２８に格納されたか否かを判断する。格納されたと判断されると、前記メイン格納部２８に格納された広告の一部を抽出して前記サブ格納部３０に格納する。この際にも、ユーザ端末機にはサブ格納部３０に格納された広告が伝達される。
【００８７】
例えば、図９の場合には、ドメインアドレスに入力された「ａｕｄｉ」が重要単語と見なされるので、「ａｕｄｉ」と同一の発音である「アウディ」に関連したＷｅｂサイトに対する広告が前記メイン格納部から抽出されて前記サブ格納部に格納できる。
【００８８】
図１０に示すように、ブラウザのメインバーには、ユーザがアドレスバーに入力した「www.audikorea.com」のＷｅｂサイトが表示される。広告は、アドレスバーの真下またはブラウザの下端に「１行の形式」で表示でき、あるいは「ブラウザの左側の内部空間」に表示できる。
【００８９】
インターネットという媒体を活用した広告を介して、当該企業は少ない費用で多くの消費者に会うことができ、顧客の反応も直ちに把握することができる。このようなインターネット広告は、企業と消費者とを連結するインタラクティブミディア(Interactive Media)モデルと、バナー広告を組み合わせたモデルに大別することができるが、本発明は、インタラクティブミディア広告の機能とバナー広告の利点を同時に利用する。
【００９０】
インタラクティブミディア広告は、インターネットの双方向性を活用して消費者の嗜好を分析し、差別的に広告を提供する。これにより、企業は不特定多数を対象とする既存の広告に比べてその効果を高めることができる。
【００９１】
バナー広告は、画面の一隅に出ている帯状広告であって、道路広告と同様に人の往来が多い場所にバナー広告を浮かべておき、関心のある人がこれをクリックして自社のホームページに接続するようにするものとして最も広範囲に用いられる。
【００９２】
以上、添付図面を参照しながら本発明の好適な実施例について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００９３】
【図１】本発明に係る広告提供システムを示す図である。
【図２】本発明に係る広告提供方法の概略流れ図である。
【図３】図２のＳ１００を詳細に示す流れ図である。
【図４】図２のＳ２００を詳細に示す流れ図である。
【図５】図２のＳ３００を詳細に示す流れ図である。
【図６】検索語キーワードに応じてブラウザに広告が提供される過程を示す図である。
【図７】検索語キーワードに応じてブラウザに広告が提供される過程を示す図である。
【図８】検索語キーワードに応じてブラウザに広告が提供される過程を示す図である。
【図９】ドメインアドレスに応じてブラウザに広告が提供される過程を示す図である。
【図１０】ドメインアドレスに応じてブラウザに広告が提供される過程を示す図である。
【図１１】ブラウザに広告が表示された状態を示す図である。
【符号の説明】
【００９４】
１０    ユーザ端末機
２０    広告サーバ
２２    インタフェース部
２４    制御部
２８    メイン格納部
３０    サブ格納部
【図１】
2010129073.tif 000003
【図２】
2010129073.tif 000004
【図３】
2010129073.tif 000005
【図４】
2010129073.tif 000006
【図５】
2010129073.tif 000007
【図６】
2010129073.tif 000008
【図７】
2010129073.tif 000009
【図８】
2010129073.tif 000010
【図９】
2010129073.tif 000011
【図１０】
2010129073.tif 000012
【図１１】
2010129073.tif 000013